(57)【要約】【課題】身体に伝わる振動が単調とならないようにする。【解決手段】第１振動モータ４０Ａは、振動ユニット５０Ａ内において出力軸４１がＺ軸方向に沿うように配置されており、第２振動モータ４０Ｂは、振動ユニット５０Ａ内において出力軸４１がＸ軸方向に沿うように配置されている。第３振動モータ４０Ｃは、振動ユニット５０Ｂ内において出力軸４１がＺ軸方向に沿うように配置されており、第４振動モータ４０Ｄは、振動ユニット５０Ｂ内において出力軸４１がＺ軸方向からＸ軸方向へ傾いて配置されている。【選択図】図３
2018015284.tif 000002
【特許請求の範囲】
【請求項１】
内部に少なくとも第１振動モータと第２振動モータを有し、身体に固定される振動ユニットを備え、
前記第１振動モータと前記第２振動モータは、少なくとも、出力軸の方向、前記出力軸に設けられた分銅、出力、回転の態様のいずれかが異なる
痩身器。
【請求項２】
前記第１振動モータと前記第２振動モータは、それぞれ出力及び分銅が同じであり、出力軸の方向及び回転の態様が異なる
請求項１に記載の痩身器。
【請求項３】
前記第１振動モータと前記第２振動モータは、それぞれ出力及び出力軸の方向が同じであり、分銅及び回転の態様が異なる
請求項１に記載の痩身器。
【請求項４】
前記第１振動モータと前記第２振動モータは、それぞれ出力軸の方向が同じであり、出力、分銅及び回転の態様が異なる
請求項１に記載の痩身器。
【請求項５】
前記第１振動モータと前記第２振動モータは、回転方向が異なる
請求項１から請求項４のいずれか一項に記載の痩身器。
【請求項６】
前記第１振動モータと前記第２振動モータは、オンとなるタイミングとオフとなるタイミングが異なる
請求項１から請求項５のいずれか一項に記載の痩身器。
【請求項７】
前記第１振動モータと前記第２振動モータは、回転数が異なる
請求項１から請求項６のいずれか一項に記載の痩身器。
【発明の詳細な説明】
【技術分野】
【０００１】
本発明は、痩身器に関する。
【背景技術】
【０００２】
特許文献１には、身体に装着される本体ユニットの内部に偏心モータと駆動モータを備えた痩身運動器具が開示されている。この痩身運動器具は、偏心モータに対して駆動モータの動力をベルトで伝達し、偏心モータを回転させる。偏心モータが回転すると、本体ユニットが振動して身体に振動が加わり、痩身効果を得ることができる。
【先行技術文献】
【特許文献】
【０００３】
【特許文献１】国際公開２００９／１３０８０２号
【発明の概要】
【発明が解決しようとする課題】
【０００４】
偏心モータの振動は身体に作用するが、モータの回転が単調である場合、身体に伝わる振動も単調となる。身体においては、表層筋と深層筋があるが、振動が単調である場合、一方の筋肉にしか振動が作用せず、他方の筋肉については痩身の効果が小さくなる。
【０００５】
本発明は、身体に伝わる振動が単調とならないようにすることを目的とする。
【課題を解決するための手段】
【０００６】
本発明は、内部に少なくとも第１振動モータと第２振動モータを有し、身体に固定される振動ユニットを備え、前記第１振動モータと前記第２振動モータは、少なくとも、出力軸の方向、前記出力軸に設けられた分銅、出力、回転の態様のいずれかが異なる痩身器を提供する。
【０００７】
本発明においては、前記第１振動モータと前記第２振動モータは、それぞれ出力及び分銅が同じであり、出力軸の方向及び回転の態様が異なる構成としてもよい。
【０００８】
また、本発明においては、前記第１振動モータと前記第２振動モータは、それぞれ出力及び出力軸の方向が同じであり、分銅及び回転の態様が異なる構成としてもよい。
【０００９】
また、本発明においては、前記第１振動モータと前記第２振動モータは、それぞれ出力軸の方向が同じであり、出力、分銅及び回転の態様が異なる構成としてもよい。
【００１０】
また、本発明においては、前記第１振動モータと前記第２振動モータは、回転方向が異なる構成としてもよい。
【００１１】
また、本発明においては、前記第１振動モータと前記第２振動モータは、オンとなるタイミングとオフとなるタイミングが異なる構成としてもよい。
【００１２】
また、本発明においては、前記第１振動モータと前記第２振動モータは、回転数が異なる構成としてもよい。
【発明の効果】
【００１３】
本発明によれば、身体に伝わる振動が単調とならないようにすることができる。
【図面の簡単な説明】
【００１４】
【図１】本発明の実施形態に係る痩身器１の外観図。
【図２】痩身器１の電気的構成を示したブロック図。
【図３】振動ユニット５０Ａと振動ユニット５０Ｂの内部の模式図。
【図４】駆動を開始してからの経過時間と振動モータの回転数との関係を示した図。
【図５】振動モータのＯＮ／ＯＦＦの制御例を示した図。
【図６】変形例に係る振動ユニット５０Ａと振動ユニット５０Ｂの内部の模式図。
【図７】第２実施形態に係る振動ユニット５０Ａと振動ユニット５０Ｂの内部の模式図。
【図８】第３実施形態に係る振動ユニット５０Ａと振動ユニット５０Ｂの内部の模式図。
【発明を実施するための形態】
【００１５】
［第１実施形態］
図１は、本発明の第１実施形態に係る痩身器１の外観を示した図であり、図２は、痩身器１の電気的構成を示したブロック図である。痩身器１は、身体に振動を伝達し、振動により老廃物の排泄促進、脂肪分解の促進、血液循環の促進及び筋肉への刺激による運動を行う装置である。
【００１６】
痩身器１は、振動ユニット５０Ａと振動ユニット５０Ｂを備えている。振動ユニット５０Ａ及び振動ユニット５０Ｂは、ベルト２が刺し通される穴を背面側に有しており、ベルト２によって身体に固定される。
【００１７】
振動ユニット５０Ａは、上面に操作部２０と表示部３０を有し、内部に第１振動モータ４０Ａ、第２振動モータ４０Ｂ、制御部１０１、モータ駆動部６０（図２に図示）を有する。また、振動ユニット５０Ａは、電源となるＡＣアダプタが接続される電源コネクタ３を有する。第１振動モータ４０Ａは、本発明に係る第１振動モータの一例であり、第２振動モータ４０Ｂは、本発明に係る第２振動モータの一例である。
【００１８】
振動ユニット５０Ｂは、内部に第３振動モータ４０Ｃと第４振動モータ４０Ｄを有する。振動ユニット５０Ａ内にあるモータ駆動部６０と、振動ユニット５０Ｂ内にある第３振動モータ４０Ｃ及び第４振動モータ４０Ｄは、接続ケーブル５により接続されている。第３振動モータ４０Ｃは、本発明に係る第１振動モータの一例であり、第４振動モータ４０Ｄは、本発明に係る第２振動モータの一例である。
【００１９】
図３は、振動ユニット５０Ａと振動ユニット５０Ｂの内部の模式図である。図３においては、直交するＸ軸、Ｙ軸およびＺ軸で方向を示しており、痩身器１を正面側から背面側へ見たときの左右方向をＸ軸の方向、前後方向をＹ軸の方向、高さ（上下）方向をＺ軸の方向としている。また、図中、図中、「○」の中に「×」が記載されたものは図面の表から裏に向かう矢印を意味するものとする。なお、図３においては、振動モータと振動ユニットの筐体以外の図示を省略している。
【００２０】
第１振動モータ４０Ａ、第２振動モータ４０Ｂ、第３振動モータ４０Ｃ及び第４振動モータ４０Ｄは、出力軸４１に分銅４２が偏って固定されたモータであり、それぞれ同じ定格出力である。本実施形態においては、各振動モータの分銅４２は、いずれも同じものとなっている。各振動モータは、分銅が出力軸に対して偏って固定されているため、駆動されると振動する。第１振動モータ４０Ａは、振動ユニット５０Ａ内において出力軸４１がＺ軸方向に沿うように配置されており、第２振動モータ４０Ｂは、振動ユニット５０Ａ内において出力軸４１がＸ軸方向に沿うように配置されている。第３振動モータ４０Ｃは、振動ユニット５０Ｂ内において出力軸４１がＺ軸方向に沿うように配置されており、第４振動モータ４０Ｄは、振動ユニット５０Ｂ内において出力軸４１がＺ軸方向からＸ軸方向へ傾いて配置されている。本実施形態においては、第４振動モータ４０Ｄは、出力軸４１をＺ軸からＸ軸方向へ４５°傾けて配置されているが、出力軸４１のＺ軸からＸ軸方向への傾きの角度は４５°に限定されるものではなく他の角度であってもよい。また、第２振動モータ４０Ｂは、出力軸４１の方向がＸ軸に沿った方向となっているが、Ｚ軸からＸ軸方向へ傾けた方向であってもよい。
【００２１】
操作部２０は、ボタン２０Ａ〜ボタン２０Ｄを含む。ボタン２０Ａは、振動モータの駆動を開始するボタンであり、ボタン２０Ｂは、振動モータの駆動を停止させるボタンである。また、ボタン２０Ｃとボタン２０Ｄは、振動モータの振動モードを設定するためのボタンである。表示部３０は、複数のＬＥＤを有しており、ＬＥＤの点灯により、電源の状態や振動モードを使用者へ報知する。
【００２２】
次に痩身器１の電気的構成について、図２を用いて説明する。モータ駆動部６０は、制御部１０１、第１振動モータ４０Ａ、第２振動モータ４０Ｂ、第３振動モータ４０Ｃ及び第４振動モータ４０Ｄに接続されている。モータ駆動部６０は、第１振動モータ４０Ａ、第２振動モータ４０Ｂ、第３振動モータ４０Ｃ及び第４振動モータ４０Ｄを駆動する回路を有している。
【００２３】
制御部１０１は、ＣＰＵ（Central Processing Unit）、ＲＯＭ（Read Only Memory）、ＲＡＭ（Random Access Memory）を有するマイクロコンピュータであり、ＲＯＭに記憶されているプログラムに従ってモータ駆動部６０を制御する。制御部１０１には、モータ駆動部６０の他に操作部２０と表示部３０が接続されている。
【００２４】
制御部１０１は、電源がＯＮの状態でボタン２０Ｃ又はボタン２０Ｄが押下されると、振動モードを変更する。本実施形態においては、振動モードは、第１振動モード〜第４振動モードの４つの振動モードがある。制御部１０１は、ボタン２０Ｄが押下されると、第１振動モード→第２振動モード→第３振動モード→第４振動モード→第１振動モード・・・の順で振動モードを変更し、ボタン２０Ｃが押下されると、第４振動モード→第３振動モード→第２振動モード→第１振動モード→第４振動モード・・・の順で振動モードを変更する。制御部１０１は、変更後の振動モードに応じて表示部３０のＬＥＤを点灯させる。
【００２５】
制御部１０１は、振動モータを駆動していない状態においてボタン２０Ａが操作されると、ボタンの操作に応じて選択した振動モードを通知する信号をモータ駆動部６０へ出力する。モータ駆動部６０は、制御部１０１から出力された信号に応じて振動モータを駆動する。
【００２６】
図４は、駆動を開始してからの経過時間と振動モータの回転数との関係を示した図である。本実施形態においては、モータ駆動部６０は、２６秒を１周期とし、１周期内で振動モータの回転数を上下させる。具体的には、モータ駆動部６０は、時間をカウントし、図４に示したように、振動モータの駆動を開始すると振動モータの回転数を上げていき、駆動を開始してから２秒後に回転数が４１６ｒｐｍとなるように振動モータを駆動し、４秒後には回転数が８３３ｒｐｍとなるように振動モータを駆動する。モータ駆動部６０は、駆動を開始してから１４秒後においては、回転数が最高の２５００ｒｐｍとなるように振動モータを駆動し、１４秒を経過した後は回転数を下げていく。モータ駆動部６０は、駆動を開始してからの経過時間が２６秒となると、カウントした経過時間を０秒に戻し、上述の回転数の制御を繰り返す。なお、図４に示した経過時間と回転数の関係は一例であり、他の回転数であってもよい。また、駆動中の最低回転数と最高回転数は、図４に示した回転数に限定されるものではなく、他の回転数であってもよい。また、１周期の時間は２６秒に限定されるものではなく他の時間であってもよい。
【００２７】
次に、各振動モードにおける振動モータのＯＮ（駆動状態）／ＯＦＦ（駆動停止）の制御について説明する。モータ駆動部６０は、１秒を１周期として１周期内で振動モータのＯＮ／ＯＦＦの制御を行う。図５の（ａ）は、第１振動モードのときの振動モータのＯＮ／ＯＦＦの制御例を示した図であり、図５の（ｂ）は、第３振動モードのときの振動モータのＯＮ／ＯＦＦの制御例を示した図である。
【００２８】
モータ駆動部６０は、制御部１０１から通知された振動モードが第１振動モードである場合、全ての振動モータを正転させ、第１振動モータ４０Ａと第３振動モータ４０Ｃについては、１周期内において、３００ｍｓから４００ｍｓの期間と８００ｍｓから９００ｍｓの期間においてはＯＦＦ（駆動停止）とし、他の期間においてはＯＮ（駆動状態）とする。また、モータ駆動部６０は、通知された振動モードが第１振動モードである場合、第２振動モータ４０Ｂと第４振動モータ４０Ｄについては、１周期内において、１００ｍｓから２００ｍｓの期間と５００ｍｓから５００ｍｓの期間においてはＯＦＦとし、他の期間においてはＯＮとする。即ち、第１振動モードでは、同じ振動ユニット内においては、ＯＮとなるタイミングやＯＦＦとなるタイミングが異なり、同じ振動ユニット内の振動モータは、互いに回転の態様が異なっている。
【００２９】
モータ駆動部６０は、制御部１０１から通知された振動モードが第３振動モードである場合、第１振動モータ４０Ａと第３振動モータ４０Ｃを正転させ、第２振動モータ４０Ｂと第４振動モータ４０Ｄを逆転させる。また、モータ駆動部６０は、通知された振動モードが第３振動モードである場合、第１振動モータ４０Ａと第３振動モータ４０Ｃについては、１周期内において、３００ｍｓから４００ｍｓの期間と８００ｍｓから９００ｍｓの期間においてはＯＦＦとし、他の期間においてはＯＮとする。また、モータ駆動部６０は、通知された振動モードが第３振動モードである場合、第２振動モータ４０Ｂと第４振動モータ４０Ｄについては、１周期内において、１００ｍｓから２００ｍｓの期間と５００ｍｓから５００ｍｓの期間においてはＯＦＦとし、他の期間においてはＯＮとする。即ち、第３振動モードでは、同じ振動ユニット内においては、振動モータの回転方向、ＯＮとなるタイミングやＯＦＦとなるタイミングが異なり、同じ振動ユニット内の振動モータは、互いに回転の態様が異なっている。
【００３０】
なお、モータ駆動部６０は、制御部１０１から通知された振動モードが第２振動モードの場合、全ての振動モータを正転させ、ＯＦＦとする期間を設けずに常時ＯＮとする。また、モータ駆動部６０は、制御部１０１から通知された振動モードが第４振動モードの場合、第１振動モータ４０Ａと第３振動モータ４０Ｃを正転とし、第２振動モータ４０Ｂと第４振動モータ４０Ｄを逆転として、ＯＦＦとする期間を設けずに常時ＯＮとする。即ち、第４振動モードでは、同じ振動ユニット内においては、振動モータの回転方向が異なり、同じ振動ユニット内の振動モータは、互いに回転の態様が異なっている。
【００３１】
本実施形態においては、一つの振動ユニット内にある複数の振動モータは、出力軸４１の方向が異なるため、一つの振動ユニット内で複数の振動モータの出力軸４１の方向が同じ場合とは異なる振動を身体に伝達することができる。また、振動ユニット５０Ａと振動ユニット５０Ｂとでは、内蔵している複数の振動モータの出力軸４１の方向の組み合わせが異なるため、複数の振動ユニットのそれぞれで複数の振動モータの出力軸４１の方向の組み合わせが同じ場合と比較すると、単調ではない振動を身体に伝えることができる。
【００３２】
また、本実施形態においては、モータ駆動部６０が振動モータを駆動すると、振動モータの回転数が周期的に上下するため、回転数が一定の場合と比較すると、単調ではない振動を身体に伝達することができる。また、本実施形態においては、第１振動モードと第３振動モードにおいては、周期的に各振動モータのＯＮ／ＯＦＦが切り替わるため、単調ではない振動を身体に伝達することができる。
【００３３】
なお、振動ユニット５０Ｂにおいては、第４振動モータ４０Ｄの出力軸４１の方向が第２振動モータ４０Ｂの出力軸４１の方向と異なっているが、第２振動モータ４０Ｂの出力軸４１の方向と第４振動モータ４０Ｄの出力軸４１の方向を同じとしてもよい。また、第２振動モータ４０Ｂの出力軸４１の方向を第１振動モータ４０Ａの出力軸４１の方向と同じとし、第４振動モータ４０Ｄの出力軸４１の方向を第３振動モータ４０Ｃの出力軸４１の方向と同じとしてもよい。この構成においても、第１振動モード又は第３振動モードを使用者が選択した場合、周期的に各振動モータのＯＮ／ＯＦＦが切り替わるため、単調ではない振動を身体に伝達することができる。
【００３４】
また、第２振動モータ４０Ｂの出力軸４１の方向と第４振動モータ４０Ｄの出力軸４１の方向は、図６に示した方向であってもよい。図６は、第１実施形態の変形例に係る振動ユニット５０Ａと振動ユニット５０Ｂの内部の模式図である。図６においても、直交するＸ軸、Ｙ軸およびＺ軸で方向を示している。第１振動モータ４０Ａは、振動ユニット５０Ａ内において出力軸４１がＺ軸方向に沿うように配置されている。第２振動モータ４０Ｂは、振動ユニット５０Ａ内において出力軸４１がＺ軸方向に沿うように配置されているが、分銅４２が下側に位置するように出力軸４１の方向が第１振動モータ４０Ａとは反対方向になっている。第３振動モータ４０Ｃは、振動ユニット５０Ｂ内において出力軸４１がＺ軸方向に沿うように配置されており、第４振動モータ４０Ｄは、振動ユニット５０Ｂ内において出力軸４１がＹ軸方向に沿うように配置されている。図６に示した構成においても、一つの振動ユニット内にある複数の振動モータは、出力軸４１の方向が異なるため、一つの振動ユニット内で複数の振動モータの出力軸４１の方向が同じ場合とは異なる振動を身体に伝達することができる。
【００３５】
［第２実施形態］
次に本発明の第２実施形態について説明する。第２実施形態に係る痩身器１は、振動モータの構成が第１実施形態と異なり、他の構成は第１実施形態と同じである。そのため、第１実施形態と同じ構成については同じ符号を使用し、その説明を省略する。
【００３６】
図７は、第２実施形態に係る振動ユニット５０Ａと振動ユニット５０Ｂの内部の模式図である。図７においても、直交するＸ軸、Ｙ軸およびＺ軸で方向を示している。第２実施形態においては、各振動モータの定格出力はいずれも同じである。また、各振動モータの出力軸４１の方向は、いずれもＺ軸に沿った方向となっている。各振動モータにおいては、出力軸４１に固定されている分銅が各々異なる。第１振動モータ４０Ａの出力軸４１には分銅４２Ａが固定されており、第２振動モータ４０Ｂの出力軸４１には分銅４２Ｂが固定されている。また、第３振動モータ４０Ｃの出力軸４１には分銅４２Ｃが固定されており、第４振動モータ４０Ｄの出力軸４１には分銅４２Ｄが固定されている。分銅４２Ａ、分銅４２Ｂ、分銅４２Ｃ及び分銅４２Ｄは、質量が分銅４２Ｃ＞分銅４２Ａ＞分銅４２Ｂ＞分銅４２Ｄという関係となっている。
【００３７】
本実施形態においては、一つの振動ユニット内にある複数の振動モータは、出力軸４１に固定されている分銅の質量が異なるため、各振動モータを駆動した場合、一つの振動ユニット内で複数の振動モータの分銅が同じ場合とは異なる振動を身体に伝達することができる。また、本実施形態においては、振動ユニット５０Ａと振動ユニット５０Ｂとでは、内蔵されている振動モータの出力軸４１に固定されている分銅の質量が異なるため、それぞれで分銅が同じ場合と比較すると、単調ではない振動を身体に伝えることができる。
【００３８】
［第３実施形態］
次に本発明の第３実施形態について説明する。第３実施形態に係る痩身器１は、振動モータの構成が第１実施形態と異なり、他の構成は第１実施形態と同じである。そのため、第１実施形態と同じ構成については同じ符号を使用し、その説明を省略する。
【００３９】
図８は、第３実施形態に係る振動ユニット５０Ａと振動ユニット５０Ｂの内部の模式図である。図８においても、直交するＸ軸、Ｙ軸およびＺ軸で方向を示している。第３実施形態においては、振動ユニット５０Ａは、内部に第５振動モータ４０Ｅ、第６振動モータ４０Ｆを有し、振動ユニット５０Ｂは、内部に第７振動モータ４０Ｇと第８振動モータ４０Ｈを有する。第５振動モータ４０Ｅは、本発明に係る第１振動モータの一例であり、第６振動モータ４０Ｆは、本発明に係る第２振動モータの一例である。また、第７振動モータ４０Ｇは、本発明に係る第１振動モータの一例であり、第８振動モータ４０Ｈは、本発明に係る第２振動モータの一例である。第５振動モータ４０Ｅ、第６振動モータ４０Ｆ、第７振動モータ４０Ｇ及び第８振動モータ４０Ｈは、モータ駆動部６０に接続されている。モータ駆動部６０は、第５振動モータ４０Ｅを第１振動モータ４０Ａと同様に駆動し、第６振動モータ４０Ｆを第２振動モータ４０Ｂと同様に駆動する。また、モータ駆動部６０は、第７振動モータ４０Ｇを第３振動モータ４０Ｃと同様に駆動し、第８振動モータ４０Ｈを第４振動モータ４０Ｄと同様に駆動する。
【００４０】
本実施形態においては、各振動モータの定格出力の関係は、第７振動モータ４０Ｇ＞第５振動モータ４０Ｅ＞第６振動モータ４０Ｆ＞第８振動モータ４０Ｈとなっている。また、各振動モータの出力軸４１の方向は、いずれもＺ軸に沿った方向となっている。各振動モータにおいては、出力軸４１に固定されている分銅が各々異なる。第５振動モータ４０Ｅの出力軸４１には分銅４２Ａが固定されており、第６振動モータ４０Ｆの出力軸４１には分銅４２Ｂが固定されている。また、第７振動モータ４０Ｇの出力軸４１には分銅４２Ｃが固定されており、第８振動モータ４０Ｈの出力軸４１には分銅４２Ｄが固定されている。
【００４１】
本実施形態においては、一つの振動ユニット内にある複数の振動モータは、定格出力及び出力軸４１に固定されている分銅の質量が異なるため、各振動モータを駆動した場合、一つの振動ユニット内で複数の振動モータの定格出力及び出力軸４１に固定されている分銅が同じ場合とは異なる振動を身体に伝達することができる。また、振動ユニット５０Ａと振動ユニット５０Ｂとでは、振動モータの定格出力及び出力軸４１に固定されている分銅の質量が異なるため、複数の振動ユニットのそれぞれで振動モータの定格出力及び出力軸４１に固定されている分銅が同じ場合と比較すると、単調ではない振動を身体に伝えることができる。
【００４２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４３】
上述した実施形態においては、痩身器１は、振動ユニット５０Ａと振動ユニット５０Ｂの２つを有する構成であるが、一つの振動ユニットを有する構成であってもよく、また、３つ以上の振動ユニットを有する構成であってもよい。痩身器１が３つ以上の振動ユニットを有する構成にあっては、各振動ユニット内においては、複数の振動モータで少なくとも出力軸４１の方向、分銅の質量、定格出力のいずれか異なる構成としてもよい。
【００４４】
また、本発明に係る痩身器１においては、第１実施形態から第３実施形態の振動ユニットを複数組み合わせた構成であってもよい。例えば、痩身器１が３つの振動ユニットを有する場合、第１実施形態の振動ユニット５０Ａ、第２実施形態の振動ユニット５０Ａ及び第３実施形態の振動ユニット５０Ｂを備える構成であってもよく、また、他の組み合わせであってもよい。
【００４５】
上述した実施形態においては、一つの振動ユニットは、２つの振動モータを内蔵する個性となっているが、ユニット内に３つ以上の振動モータを内蔵する構成であってもよい。この構成にあっては、同じ振動ユニット内の複数の振動モータは、少なくとも出力軸４１の方向、分銅の質量、定格出力のいずれか異なる構成としてもよい。
【００４６】
上述した実施形態においては、複数の振動モータの出力軸４１の方向は固定となっているが、振動モータの向きを制御部１０１で制御し、出力軸４１の方向を変更可能な構成としてもよい。また、上述した実施形態においては、振動ユニットに内蔵されている振動モータについて、振動モータ間の距離が固定となっているが、振動モータ間の距離を制御部１０１で制御し、振動モータ間の距離を変更可能な構成としてもよい。
【００４７】
上述した実施形態においては、ベルト２により振動ユニット５０Ａと振動ユニット５０Ｂを身体に固定する構成となっているが、振動ユニット５０Ａと振動ユニット５０Ｂを分離し、振動ユニット５０Ａと振動ユニット５０Ｂとを別々に身体に固定するようにしてもよい。
【００４８】
上述した実施形態においては、図４に示したように各振動モータの回転数を制御するが、例えば、第１振動モータ４０Ａの回転数と第２振動モータ４０Ｂの回転数が異なるようにしてもよい。
【符号の説明】
【００４９】
１…痩身器、２０…操作部、２０Ａ，２０Ｂ，２０Ｃ，２０Ｄ…ボタン、３０…表示部、４０Ａ…第１振動モータ、４０Ｂ…第２振動モータ、４０Ｃ…第３振動モータ、４０Ｄ…第４振動モータ、４０Ｅ…第５振動モータ、４０Ｆ…第６振動モータ、４０Ｇ…第７振動モータ、４０Ｈ…第８振動モータ、４１…出力軸、４２，４２Ａ，４２Ｂ，４２Ｃ，４２Ｄ…分銅、５０Ａ，５０Ｂ…振動ユニット、６０…モータ駆動部、１０１…制御部。
【図１】
2018015284.tif 000003
【図２】
2018015284.tif 000004
【図３】
2018015284.tif 000005
【図４】
2018015284.tif 000006
【図５】
2018015284.tif 000007
【図６】
2018015284.tif 000008
【図７】
2018015284.tif 000009
【図８】
2018015284.tif 000010